(57)【要約】【課題】脈拍測定や体温測定の転記ミスがあり、脈拍と体温を各々測定する場合時間が掛かっており、測定終了を振動で伝えることができません、体温測定を１ヶ所で測定していることから不安定で、さらにＰＣ（パソコン）に結果を転送することができないことから、グラフ化して測定結果を時系列に沿って確認できることもできません。多くの既存技術を融合しているため、製品サイズや重さにより、操作性の低下が心配である。【解決手段】本発明の脈拍体温計は脈拍と体温を同時に測定して記録するため、転記ミスと時間短縮ができる利点があります。測定終了を振動で知らせるので耳の不自由な方に優しく、体温を上下２ヶ所で測定し平均値を最終結果とするため、従来品より正確で、さらにＰＣ（パソコン）に結果を転送可能であることから、測定結果を時系列に沿って確認できるという利点があり、従来のクランプ型脈拍計の余ったスペースを有効に活用してダウンサイジングを図る。【選択図】図１
2018000911.tif 000002
【特許請求の範囲】
【請求項１】
既存技術の脈拍計と体温計を組み合わせることにより、脈拍と体温を同時に測定し記録することを特徴とする脈拍体温計。
【請求項２】
既存技術の振動モータを採用することにより、耳の不自由な方にすぐに結果を知らせる事を特徴とする脈拍体温計。
【請求項３】
ＵＳＢ（マイクロＢメス）端子を取り付け、リチウムイオンバッテリを内蔵することにより電池交換不要と安定した測定が特徴の脈拍体温計。
【請求項４】
測定結果をＬＣＤ表示だけでなく、マイクロＳＤを搭載することにより、転記する手間を省くことが特徴の脈拍体温計。
【請求項５】
測定結果を固有データ（患者ＩＤ）として扱うことにより、患者の取り違いを防ぐことが特徴の脈拍体温計。
【請求項６】
ＩＣ―ＴＡＧ読み取り機能を搭載して、患者のリストバンドから固有データ（患者ＩＤ）を読み取ることが特徴の脈拍体温計。
【請求項７】
Ｗｉ−Ｆｉ転送機能を搭載して、測定結果をＰＣ（パソコン）へ転送することが特徴の脈拍体温計。
【請求項８】
体温を上下２ヶ所のセンサで測定し、平均値を最終結果とするため、従来より正確な体温測定ができることが特徴の脈拍体温計。
【発明の詳細な説明】
【技術分野】
【０００１】  本発明は、脈拍と体温を同時に測定する脈拍体温計に関するものである。
【背景技術】
【０００２】  脈拍計（パルスオキシメータなど）や、体温計（電子体温計）は医療現場においてはそれぞれ独立して測定している。
医療現場の作業効率を上げる目的で脈拍と体温を同時に測定して、記録できる測定器が存在していませんでした。【０００３】  脈拍測定や体温測定は測定完了を音で知らせることから、耳の不自由な人はすぐに気づくことができません。時間の経過を待てば良いと思われるかもしれませんが、当事者にとってはどうでしょうか？当事者は耳の不自由な現実を突きつけられていると思われます。【０００４】  脈拍計や体温計は一般的に内蔵電池で駆動されますが、電池の消耗によりＬＣＤ表示が見えにくくなったり、測定不能に陥る場合がありました。【０００５】  脈拍計や体温計は測定結果を人が見て転記するため、転記ミスが発生することがありました。【０００６】  脈拍計や体温計の測定結果は単独の測定結果であるから、患者の固有データとして扱うことができませんでした。【０００７】  脈拍計や体温計は固有ＩＤと紐づけされていませんので患者の取り違いが発生することがありました。【０００８】  脈拍計や体温計はＷｉ−Ｆｉ転送機能が付いてＰＣ（パソコン）へデータを転送できるしくみがありませんでした。【０００９】  体重計では測定結果をマイクロＳＤに記録してＰＣ（パソコン）でグラフ表示する既存技術はありますが、脈拍計や体温計では同様の機能を持ったものはありませんでした。【００１０】  脈拍計や体温計でＩＣ―ＴＡＧ読み取り機能を持ったものがありませんでした。【００１１】  体温計で２ヶ所のセンサを設けて、その平均値を最終結果とするものがありませんでした。
【先行技術文献】
【特許文献】
【００１２】
【特許文献１】特開２０１３−１１１２０２号公報
【００１３】
【特許文献２】特開２０１３−１９０２８２号公報
【００１４】
【特許文献３】特開２０１５−０２７１０９号公報
【００１５】
【特許文献４】特開２００５−３５１８３０号公報
【発明の概要】
【発明が解決しようとする課題】
【００１６】  解決しようとする問題点は、脈拍測定や体温測定を人が転記することから転記ミスを防ぐ手段がない点、及び脈拍と体温を個別に測定することにより時間が掛かる点があり、耳の不自由な方に測定終了を知らせることが困難で、体温測定は１ヶ所で測定しているので不安定な場合があり、さらに測定結果を時系列に沿って確認できない点でありました。
【課題を解決するための手段】
【００１７】  本発明は、脈拍測定や体温測定の転記ミスを防ぐとともに、脈拍と
体温を同時に測定することにより、時間短縮が可能になり、測定終了を振動で伝えることができ、体温測定を上下２ヶ所の平均値を最終結果とするため従来品より正確で、さらにＰＣ（パソコン）に結果を転送することによりグラフ化して測定結果を時系列に沿って確認できることを主要な特徴とする
脈拍体温計。
【発明の効果】
【００１８】  本発明の脈拍体温計は脈拍と体温を同時に測定して記録するため、
転記ミスと時間短縮ができる利点があります。測定終了を振動で知らせるので耳の不自由な方に優しく、体温を上下２ヶ所で測定し平均値を最終結果とするため従来品より正確で、さらにＰＣ（パソコン）に結果を転送可能であることから測定結果を時系列に沿って確認できるという利点がある
脈拍体温計。
【図面の簡単な説明】
【００１９】
【図１】脈拍体温計の概略を示した説明図である。
【００２０】
【図２】脈拍体温計の操作及び表示部の説明図である。
【００２１】
【図３】脈拍体温計のデータをＰＣ（パソコン）でグラフ表示したイメージ図である。
【００２３】
【図４】脈拍体温計の測定方法を示した説明図である。
【００２４】
【図５】脈拍体温計の操作手順を示したフローチャートである。
【発明を実施するための形態】
【００２５】  既存技術のクランプ型の脈拍計の外側に既存技術の電子体温計センサを上下２ヶ所に組み込むことにより、従来サイズのクランプ型脈拍計に近い大きさを実現化した。
【実施例１】
【００２６】  図１は、本発明装置の概略を示した側面図であって、１．は既存のＬＣＤ（液晶）表示、２．は既存の上部体温計センサ、３．は既存のＷｉ−Ｆｉ転送機能、４．は既存のＵＳＢ（マイクロＢメス）端子、５．は既存のリチウムイオンバッテリ、６．は既存の携帯電話などに搭載される振動モータ、７．は既存のＩＣ―ＴＧ読取装置、８．は既存のマイクロＳＤ、９．は既存の下部体温計センサ、１０．は既存の脈拍センサである。【００２７】  １．は既存のＬＣＤ表示器で測定結果を、患者ＩＤ、測定日、測定時刻、測定結果の順に表示します。
本発明の主体は既存技術の組み合わせにあるので、以下の電子、機構系の説明は省略する。【００２８】  ２．９．は上下に配置した既存の電子体温計センサで、２ヶ所の平均値を測定値とします。【００２９】  ３．は既存技術のＷｉ−Ｆｉ転送機能で、測定した結果をＰＣ（パソコン）へ転送することができます。【００３０】  ４．は既存のＵＳＢ（マイクロＢメス）端子で内蔵されているリチウムイオンバッテリへの充電と外部とのデータ転送に使用します。【００３１】  ５．は既存のリチウムイオンバッテリです。【００３２】  ６．は既存の携帯電話などに使用されている振動モータで、耳が不自由な方に測定終了を振動で伝えることができます。【００３３】  ７．は既存のＩＣーＴＡＧ読み取り装置で、患者の個別ＩＤを取得できます。【００３４】  ８．は既存のマイクロＳＤで測定結果を記録できます。【００３５】  １０．は既存の脈拍センサで脈拍を測定します。【００３６】  このような既存技術の組み合わせにより、測定者は人差し指に本発明装置の脈拍体温計を挟み、従来の電子体温計と同様に脇下にいれて、上下２ヶ所の測定結果の平均値を測定の最終結果とするため正確で、脈拍と体温を同時に測定できます。測定結果はＬＣＤ表示に、患者ＩＤ、測定日、測定時刻、測定結果の順に表示するので患者の取違いを防ぎます。
Ｗｉ−Ｆｉ転送機能でＰＣ（パソコン）へ転送することによりグラフ表示が可能なので各々の患者について時系列に結果を表示できます。
ＵＳＢ（マイクロＢメス）端子でリチウムイオンバッテリに充電しますので、電池消耗を気にすることなく安定した測定が可能となります。さらに、測定終了を振動で知らせるので、耳の不自由な方に優しいです。
【実施例２】
【００３７】  ＬＣＤ表示付近に設けられたスイッチにより、患者ＩＤの設定をＩＣ―ＴＡＧから読み取るか、ボタンにより設定するか選択します。例えば患者ＩＤをＩＣ−ＴＡＧから読取る場合はＡＵＴＯ側に、手入力する場合はＭＡＮＵ側にしてボタンによる患者ＩＤを設定します。
ＡＵＴＯ・ＭＡＮＵどちらの場合も患者ＩＤは次のＩＤが入力されるまで保持されます。これにより連続の測定結果を記録できます。ＡＵＴＯとＭＡＮＵのモードがある理由は医療現場によりＩＣーＴＡＧの導入がされている場合とそうでない場合に対応するためです。
【実施例３】
【００３８】  ＬＣＤ表示付近に設けられたスイッチにより、容易にＷｉ−ＦｉのＯＮ・ＯＦＦと転送が可能です。医療現場がＷｉ−Ｆｉ環境下にない場合でもＰＣ（パソコン）へのデータ移行を可能とするために、マイクロＳＤが搭載されています。
【産業上の利用可能性】
【００３９】  脈拍と体温を同時に測定し、カルテなどに記載する手間が省けることから医療現場において、看護師と患者の負担を減らすことが可能であり、時間短縮をした分、その他のケアに時間を充てる。それにより、お互いに余裕が生まれ、より良い医療の現場となるでしょう。
【符号の説明】
【００４０】１．    ＬＣＤ表示器
２．    上部電子体温計センサー
３．    Ｗｉ−Ｆｉ転送装置
４．    ＵＳＢ（マイクロＢメス）端子
５．    リチウムイオンバッテリー
６．    振動モーター
７．    マイクロＳＤ
８．    ＩＣ―ＴＡＧ読取装置
９．    下部電子体温計センサー
１０．  脈拍測定センサー
【図１】
2018000911.tif 000003
【図２】
2018000911.tif 000004
【図３】
2018000911.tif 000005
【図４】
2018000911.tif 000006
【図５】
2018000911.tif 000007